(57)【要約】【課題】この発明は、構成簡易にして、薄形化の促進を図り得、且つ、信頼性の高い安全なカード取扱い操作を実現し得るようにすることにある。【解決手段】電池収容部３０の配された第１の筐体１０に対して電池２９の着脱方向に対して直交する方向にカード出入り口１９を有したカード収容部３１を並設して配置し、電池２９の電池収容部３０への挿着に連動してカードロック機構３５がカード収容部３１のカード出入れ口１９からのメモリーカード３４が着脱されるカードトレイ３３の抜脱を規制し、電池２９の電池収容部３１からの脱動作に連動してカードロック機構３５が抜脱の規制を解除して、カードトレイ３１へのメモリーカード３４の着脱が可能となるように構成したものである。【選択図】図３
2009064174.tif 000002
【特許請求の範囲】
【請求項１】
電池が着脱される電池収容部が設けられ、この電池収容部に前記電池が着脱される着脱方向に対して直交する方向にメモリーカードを着脱するカード出入り口を有したカード収容部が設けられた端末筐体と、
前記電池収容部に対して前記電池が収容された着状態で、前記端末筐体のカード出入り口からの前記メモリーカードの出入りを規制し、前記電池収容部から前記電池が脱された状態で、前記規制を解除して前記メモリーカードの前記カード出入り口からの着脱を可能とするカードロック機構と、
を具備することを特徴とする携帯端末。
【請求項２】
前記電池収容部及び前記カード収容部は、並設されて設けられることを特徴とする請求項１記載の携帯端末。
【請求項３】
前記メモリーカードは、カード着脱方向に移動自在に設けられ、前記カードロック機構を介して規制、規制解除されるカードトレイに収容されて着脱位置に移送されることを特徴とする請求項１又は２記載の携帯端末。
【請求項４】
前記端末筐体のカード出入り口には、前記メモリーカードの出入りを許容する開閉蓋が設けられることを特徴とする請求項１乃至３のいずれか記載の携帯端末。
【請求項５】
前記カードロック機構は、前記電池の電池収容部からの着脱に連動して、規制位置及び規制解除位置に移動制御されることを請求項１乃至４のいずれか記載の携帯端末。
【請求項６】
前記端末筐体は、前記電池収容部及びカード収容部が設けられた操作部の配された第１の筐体と、この第１の筐体に対して表示部の配された第２の筐体が折畳み展開自在に連結されていることを特徴とする請求項１乃至５のいずれか記載の携帯端末。
【発明の詳細な説明】
【技術分野】
【０００１】
この発明は、例えば回動式に折畳み展開可能な、いわゆるクラムシェルタイプの携帯電話や、携帯型情報機器等の携帯端末に関する。
【背景技術】
【０００２】
携帯端末においては、例えば契約者情報等の情報を記憶したＵ−ＳＩＭカードと称するメモリーカードを着脱可能に搭載して、このメモリーカードを異なる端末に交換式に搭載することにより、１回線の契約で、利用目的に応じて複数の端末を持ち回りで使用可能に構成した端末システムが知られている。ところで、このような携帯端末システムにあっては、メモリーカードに記憶された記憶情報の保護のために、携帯端末の電池収容部に電池を収容していない状態でのみに、メモリーカードの携帯端末への挿脱を可能に構成することが必要とされている。
【０００３】
このような携帯端末としては、カード収容部を電池収容部の下側に積重状に配置して、電池が電池収容部に収容されていない状態でのみ、メモリーカードのカード収容部への着脱を可能に構成したものがある。
【０００４】
例えば、外部筐体に対して電池兼カードを取付けるための凹部が設けられた内部筐体を組み付けて、この凹部にカード挿入口を設け、この凹部のカード挿入口からカードを挿入して、凹部の背面側に配した回路基板に設けたコネクタに電気的に接続する構成のものが提案されている（特許文献１参照）。この携帯端末構造では、電池が内部筐体の凹部に収容され、カードが凹部の背面側に積重配置される。
【特許文献１】特開２００４−１２６８７７号公報
【発明の開示】
【発明が解決しようとする課題】
【０００５】
しかしながら、上記携帯端末構造では、内部筐体にカード挿入口を有した電池が収容される凹部を設けて、この凹部のカード挿入口からカードを、内部筐体の背面側に配した回路基板に着脱する構成のために、端末筐体が厚形となるという問題を有する。
【０００６】
この発明は、上記の事情に鑑みてなされたもので、構成簡易にして、薄形化の促進を図り得、且つ、信頼性の高いカード取扱い操作を実現し得るようにした携帯端末を提供することを目的とする。
【課題を解決するための手段】
【０００７】
この発明は、電池が着脱される電池収容部が設けられ、この電池収容部に前記電池が着脱される着脱方向に対して直交する方向にメモリーカードを着脱するカード出入り口を有したカード収容部が設けられた端末筐体と、前記電池収容部に対して前記電池が収容された着状態で、前記端末筐体のカード出入り口からの前記メモリーカードの出入りを規制し、前記電池収容部から前記電池が脱された状態で、前記規制を解除して前記メモリーカードの前記カード出入り口からの着脱を可能とするカードロック機構とを備えて携帯端末を構成した。
【０００８】
上記構成によれば、電池の着脱方向に対して直交する方向にカード出入り口を有したカード収容部を、電池収容部に並設して配置し、電池の電池収容部への挿着に連動してカードロック機構がカード収容部のカード出入れ口からのメモリーカードの抜脱を規制し、電池の電池収容部からの脱動作に連動してカードロック機構が規制を解除して、メモリーカードの抜脱が可能となる。
【０００９】
これにより、メモリーカードのカード収容部への信頼性の高い安全なカード取扱い操作が実現され、しかも、端末筐体の薄形化の促進を図ることが可能となる。
【発明の効果】
【００１０】
以上述べたように、この発明によれば、構成簡易にして、薄形化の促進を図り得、且つ、信頼性の高い安全なカード取扱い操作を実現し得るようにした携帯端末を提供することができる。
【発明を実施するための最良の形態】
【００１１】
以下、この発明の実施の形態に係る携帯端末について、図面を参照して詳細に説明する。
【００１２】
図１及び図２は、この発明の一実施の形態の適用された携帯電話機の構成を示すもので、図１は、端末筐体である回動可能に連結した第１及び第２の筐体１０，１１を展開した状態を示し、図２は、第１及び第２の筐体１０，１１を折畳んだ状態を示す。
【００１３】
即ち、第１及び第２の筐体は、ヒンジ機構１２を介して回動式に折畳み展開自在に連結されている。このうち第１の筐体１０には、例えば制御部、電源部等を含む図示しない電話機本体が収容され、その内面側には、操作ユニット１３及び複数のクリアランスキーパー１４が操作自在に組付けられる。
【００１４】
この操作ユニット１３及びクリアランスキーパー１４は、上記電話機本体（図示しない）に配線接続され、その操作に応じて上記電話機本体（図示しない）及び上記第２の筐体１１に収容される図示しない表示駆動部が動作制御される。そして、この第１の筐体１０の内面の一端部には、通話マイク１５が設けられ、この通話マイク１５は、上記電話機本体（図示しない）に接続される。
【００１５】
また、第１の筐体１０には、その一方の側壁に、複数のサイドキー１６、イヤホーンジャック１７、地デジ（地上デジタル放送）ロッドアンテナ１８が配置され（図１参照）、その他方の側壁に、カード出入り口１９、インターフェースコネクタ２０、マイクＳＤ挿入部２１が設けられる（図２参照）。そして、この第１の筐体１０のカード出入り口１９に設けられた側壁に対して直交する側壁には、電池蓋２２が、例えば回動式に開閉自在に設けられる。
【００１６】
上記第２の筐体１１には、その内面側にメインディスプレイ２３、レシーバ２４及び撮像カメラ２５が配置され、その外面側にサブディスプレイ２６が配置されている。これらメインディスプレイ２３、レシーバ２４、撮像カメラ２５及びサブディスプレイ２６は、上記第１の筐体１０内の電話機本体（図示しない）に電気的に接続されている。
【００１７】
上記第１の筐体１０内には、図３に示す電池収容部３０が上記電池蓋２２に対応して設けられる。そして、この電池収容部３０には、電池２９（図６参照）が上記電池蓋２２を通して矢印Ｃ，Ｄ方向に挿脱自在に収容される。
【００１８】
また、第１の筐体１０内には、カード収容部３１が上記電池収容部３０の奥側に並設されて配置されている（図４参照）。このカード収容部３１には、例えばトレイ移送機構３２が設けられる。このトレイ移送機構３２には、カードトレイ３３が矢印Ａ，Ｂ方向（電池挿脱方向である矢印Ｃ，Ｄ方向と直交する方向）に移動自在に設けられる。このカードトレイ３３は、ＵＳＩＭカードと称するメモリーカード３４が着脱される最も矢印Ｂ方向に移動されたカード着脱位置から最も矢印Ａ方向に移動されたメモリーカード３４が上記電話機本体（図示せず）に装着される装着位置間に移動自在に設けられる。
【００１９】
また、上記第１の筐体１０内には、電池２９の電池収容部３０への挿脱に応じて動作制御されるカードロック機構３５が設けられている。  
このカードロック機構３５は、例えば図４に示すようにベース部材３６、スライダ部材３７、固定部材３８、ばね部材３９及びロック部材４０で構成される。このうちベース部材３６には、その両端部に取付孔３６１，３６１が設けられ、この取付孔３６１，３６１には、上記第１の筐体１０内に突設された取付ボス１０１，１０１が挿入されて溶着等の手法により取付けられて第１の筐体１０内に取付け配置される。
【００２０】
このベース部材３６内には、図５に示すように上記スライダ部材３７が固定部材３８を介して矢印Ｃ，Ｄ方向に移動自在に組付けられる。そして、スライダ部材３７と固定部材３８との間には、ばね部材３９が矢印Ｄ方向にばね力を付与するように係着される。これにより、スライダ部材３７は、矢印Ｃ方向の付勢が解除されると、ばね部材３９により、矢印Ｄ方向の所期位置に移動付勢される。
【００２１】
スライダ部材３７には、その上面に複数の取付ボス３７１，３７１が所定の間隔に突設され、この取付ボス３７１，３７１が上記ロック部材４０に設けられた取付孔４０１，４０１に挿入されて溶着等の手法により一体的に取付けられている。これにより、ロック部材４０は、上記スライダ部材３７と一体となり、上記ベース部材３６に対して矢印Ｃ，Ｄ方向に移動される。
【００２２】
このロック部材４０には、その中間部に電池係合部４０２が上記電池２９（図６参照）の先端部に対応して設けられ、その先端部にカード係止部４０３がカード出入り口１９の一端部に対応して設けれており、最も矢印Ｃ方向に移動された状態で、カード係止部４０３が上記カード出入り口１９の一端部に突出されて、該カード出入り口１９の一部を閉塞する。
【００２３】
上記構成により、カードロック機構３５を構成するロック部材４０は、電池２９が電池蓋２２を通して電池収容部３０に挿入されると、その電池係合部４０２に電池２９の先端部が当接され、電池２９がさらに矢印Ｃ方向に挿入されと、ばね部材３９のばね力に抗してスライダ部材３７と共に同方向に移動される。
【００２４】
そして、ロック部材４０は、電池２９が電池収容部３０の収容位置に到達されて図示しない保持機構により位置決めされると、そのカード係止部４０３が第１の筐体１０のカード出入り口１９の一端から突出されて該カード出入り口１９を、カードトレイ３３の矢印Ｂ方向への移動を規制するように閉塞する。ここで、ロック部材４０は、その電池係合部４０２が電池２９により矢印Ｃ方向に付勢された状態が維持されることで、第１の筐体１０のカード出入り口１９を、閉塞状態に保ち、メモリーカード３４のカードトレイ３３からの抜脱が阻止される。
【００２５】
また、メモリーカード３４の抜脱が必要となった場合には、先ず、上記保持機構（図示せず）の保持を解除して第１の筐体１０の電池収容部３０に収容された電池２９を、該電池収容部３０から矢印Ｄ方向に抜脱させる。すると、ロック部材４０は、その電池係合部４０２の電池２９による矢印Ｃ方向の付勢が解除されることで、ばね部材３９のばね力により、スライダ部材３７と共に、ベース部材３６に対して矢印Ｄ方向に移動付勢されて初期位置に復帰される。ここで、ロック部材４０は、そのカード係止部４０３が第１の筐体１０のカード出入り口１９の一端部から離間され、そのカードトレイ３３の矢印Ｂ方向への規制が解除される。
【００２６】
この状態において、カードトレイ３３が矢印Ｂ方向に引出されると、トレイ移送機構３２に案内されて第１の筐体１０のカード出入り口１９から取出されて、カードトレイ３３へのメモリーカード３４の着脱が行われる。そして、このメモリーカード３４が装着されたカードトレイ３３は、トレイ移送機構３２に装着されて該トレイ移送機構３２により矢印Ａ方向に移送され、カード収容部３１内の駆動位置に移送される。
【００２７】
続いて、電池収容部３０には、電池２９が第１の筐体１０の電池蓋２２を通して挿着される。すると、電池２９は、その先端部がロック部材４０の電池係合部４０２に当接して該電池係合部４０２を矢印Ｃ方向に押し込むことで、上述したようにロック部材４０がばね部材３９のばね力に抗してスライダ部材３６と共に同方向に移動されて装着位置に収容される。
【００２８】
ここで、電池２９は、上記保持機構（図示せず）により装着位置に位置決め保持され、ロック部材４０が最も矢印Ｃ方向に移動されて状態で位置決めされる。この際、ロック部材４０は、そのカード係止部４０３が第１の筐体１０のカード出入り口１９の一端部から突出されて該カード出入り口１９を、カードトレイ３３の抜脱を規制するように閉塞し、以後のカードトレイ３３の抜脱動作を規制する。
【００２９】
このように、上記携帯端末は、電池収容部３０の配された第１の筐体１０に対して電池２９の着脱方向に対して直交する方向にカード出入り口１９を有したカード収容部３１を並設して配置し、電池２９の電池収容部３０への挿着に連動してカードロック機構３５がカード収容部３１のカード出入れ口１９からのメモリーカード３４が着脱されるカードトレイ３３の抜脱を規制し、電池２９の電池収容部３１からの脱動作に連動してカードロック機構３５が抜脱の規制を解除して、カードトレイ３１へのメモリーカード３４の着脱が可能となるように構成した。
【００３０】
これによれば、メモリーカード３４のカード収容部３１への信頼性の高い安全な挿脱動作が実現され、しかも、電池収容部３０とカード収容部３１とが並設配置されるとこで、容易に薄形化の促進を図ることが可能となる。
【００３１】
また、これによれば、電池収容部３０とカード収容部３１とが、電池収容部３０への電池２９の挿脱方向とカード収容部３１へのカードトレイ３３の移動方向が略直交されて並設配置されていることにより、第１の筐体１０の並設方向の長さ寸法を最小限に設定することが可能となる。
【００３２】
なお、上記各実施の形態では、第１及び第２の筐体１０，１１を、ヒンジ機構１２を介して折畳み展開自在に構成した筐体構造に適用した場合について説明したが、この筐体構造に限ることなく、構成可能である。
【００３３】
また、上記実施の形態では、カードトレイ３３を用いてメモリーカード３４を、所望の位置に着脱するように構成した場合について説明したが、これに限ることなく、その他、メモリーカード３４をカードトレイ３３を用いることなく、カード収容部３１に着脱する構成においても適用可能であり、同様に有効な効果が期待される。
【００３４】
さらに、上記実施の形態では、携帯電話機に適用した場合について説明したが、これに限ることなく、例えば携帯型情報機器を含む携帯端末に適用することも可能で、同様の効果が期待できる。
【００３５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３６】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３７】
【図１】この発明の一実施の形態に係る携帯端末の適用された携帯電話機の展開状態を示した斜視図である。
【図２】図１の第１及び第２の筐体の折畳み状態に示した斜視図である。
【図３】図１の第１の筐体内の配置構成を説明するために示した斜視図である。
【図４】図３のカードロック機構の配置構成を説明するために示した分解斜視図である。
【図５】図３のカードロック機構の組付け状態を拡大して示した斜視図である。
【図６】図３の電池収容部に電池を挿着した状態におけるカードロック機構を示した平面図である。
【図７】図３の電池収容部から電池を抜脱させる途中におけるカードロック機構の状態を示した平面図である。
【図８】図３の電池収容部から電池を抜取り、カードトレイをカード着脱位置に引抜いた状態におけるカードロック機構を示した平面図である。
【符号の説明】
【００３８】
１０…第１の筐体、１０１…取付ボス、１１…第２の筐体、１２…ヒンジ機構、１３…操作ユニット、１４…クリアランスキーパー、１５…通話マイク、１６…サイドキー、１７…イヤホーンジャック、１８…地デジロッドアンテナ、１９…カード出入り口、２０…インターフェースコネクタ、２１…マイクＳＤ挿入部、２２…電池蓋、２３…メインディスプレイ、２４…レシーバ、２５…撮像カメラ、２６…サブディスプレイ、２９…電池、３０…電池収容部、３１…カード収容部、３２…トレイ移送機構、３３…カードトレイ、３４…メモリーカード、３５…カードロック機構、３６…ベース部材、３６１…取付孔、３７…スライダ部材、３７１…取付ボス、３８…固定部材、３９…ばね部材、４０…ロック部材、４０１…取付孔、４０２…電池係合部、４０３…カード係止部。
【図１】
2009064174.tif 000003
【図２】
2009064174.tif 000004
【図３】
2009064174.tif 000005
【図４】
2009064174.tif 000006
【図５】
2009064174.tif 000007
【図６】
2009064174.tif 000008
【図７】
2009064174.tif 000009
【図８】
2009064174.tif 000010